(57)【要約】      （修正有）【課題】高い表示密度で配設された発光パターンを互いに独立して駆動することを可能な、陽極の駆動を制御するために陽極に対応して設けられるグリッドの配置間隔も小さくした高い表示密度が可能な蛍光表示管を提供する。【解決手段】メッシュ状の電極部の周囲に先端部に連結部を有する支持用タブを一体に形成した金属部品からなる前記グリッドの支持用タブを前記支持用のタブは前記グリッド面に対して９０度乃至１００度に折り曲げ、支持用タブの先端の断面が前記陽極基板に対抗して配置したグリッド電極固定材に前記支持用タブの先端の連結部を覆って固着する。【選択図】図１          
2006024405.tif 000002
【特許請求の範囲】
【請求項１】
内部が高真空状態に保持された外囲器と、該外囲器の一部を構成する絶縁性基板に蛍光体が積層されたアノードと、メッシュ状電極部の外側に突出して一体に形成された支持用タブを有し、該支持用タブを脚部として前記絶縁性基板に固着されたグリッドを有する蛍光表示管において、
前記支持用タブは、前記メッシュ状電極部を基端としてメッシュ状電極部の外側に突出した２以上の爪と、該２以上の爪を連結する連結部を有し、
前記グリッドは、前記メッシュ状電極部を長辺とし前記支持用タブの一部を短辺として、該短辺を脚部とし、該脚部の先端が前記絶縁性基板に当接して配設されるとともに、前記支持用タブの連結部が前記絶縁性基板に配設されたグリッド電極固着材に被覆されて前記グリッドが前記絶縁性基板に固着されることを特徴とする蛍光表示管。
【請求項２】
内部が高真空状態に保持された外囲器と、該外囲器の一部を構成する絶縁性基板に蛍光体が積層されたアノードと、メッシュ状電極部の外側に突出して一体に形成された支持用タブと該メッシュ状電極部領域内に一体に形成された支持用タブとを有し、該支持用タブを脚部として前記絶縁性基板に固着されたグリッドを有する蛍光表示管において、
前記支持用タブは、前記メッシュ状電極部を基端としてメッシュ状電極部の外側に突出した２以上の爪と、該２以上の爪を連結する連結部を有し、
前記グリッドは、前記メッシュ状電極部を長辺とし前記支持用タブの一部を短辺として、該短辺を脚部とし、該脚部の先端が前記絶縁性基板に当接して配設されるとともに、前記支持用タブの連結部が前記絶縁性基板に配設されたグリッド電極固着材に被覆されて前記グリッドが前記絶縁性基板に固着されることを特徴とする蛍光表示管。
【請求項３】
前記グリッドと前期絶縁性基板の断面形状が前記メッシュ状グリッド面を上辺とし前記絶縁性基板を底辺とする台形形状であり、前記メッシュ状電極と前記脚部のなす角度が９０度乃至１００度であることを特徴とする請求項１又は請求項２に記載の蛍光表示管。
【請求項４】
前記支持用タブの連結部の外側に突起を有することを特徴とする請求項１乃至請求項３に記載の蛍光表示管。
【発明の詳細な説明】
【技術分野】
【０００１】
本発明は、蛍光表示管に用いられるグリッド電極を改良した蛍光表示管係り、特に複数のグリッドが同一フレーム内に一体に成型されたグリッド構体において、陽極の発光部パターンの高密度化に対応して各グリッドの間隔を狭くして、表示範囲を拡大した蛍光表示管に関する。
【背景技術】
【０００２】
蛍光表示管は、図８に示す様に内部が高真空状態に保持された外囲器１００を有している。外囲器の内部において、外囲器の一部を構成するガラス板からなる絶縁性基板１１０の上面には配線１２０が形成され、該配線の所望の部分にスルーホール１４０を設けた絶縁被覆１３０、該絶縁被覆１３０の上面アノード電極１５０、該アノード電極上面に蛍光体１６０が順次積層形成され、更に前記蛍光体１６０の上方にはグリッド２００が配置され、該グリッド２１０上方にはフィラメント３１０が配置されている。
【０００３】
前記グリッド２００は、図５、６に示す様に縁のある帽子の断面の形状に成型して、前記断面が縁のある帽子形状の頂部に相当する部分をメッシュ状グリッド２１０として前記絶縁性基板１１０と略並行となる様にして、前記メッシュ状グリッド２１０を長辺として前期グリッドの周囲に設けた支持用タブ脚部２３０を短辺としたＬ字状に成型されて、前記支持用タブの脚部２３０の下端は縁のある帽子形状の縁になる様にＬ字型に形成して爪２３７を形成して絶縁性基板との接触面積が大きくなる指示用タブの固着を確実にしている。
前記支持用タブ２２０の爪部２３７を短辺として前記Ｌ字状の爪部２３７の当接面２３８が絶縁性基板面１１１に略平行になるようにしてグリッド電極固定材により固着されている。（例えば特許文献１）
【０００４】
前記蛍光体１６０の上方に配置するグリッド２００は図７に概略を示すようなグリッド構体を用いる。このグリッド構体は、フレーム（枠状体）６００の内部に複数のグリッド２００を図示しない連結部で一定に連結したものである。グリッド構体を利用した蛍光表示管の作製においては、まず各グリッドを切り離し、各グリッドに対応した保持部を有する保持型に保持させる。保持型には磁石が設けられており、切り離した各グリッドは所定の配置で保持される。次に、保持型に保持された各グリッドのタブをプレスにより曲げ加工して支持脚を形成する。この加工後のグリッドを保持型とともに、別工程で陽極が形成された陽極基板の上に搬送し、陽極に位置合わせして陽極基板上に配置して固着する。
【０００５】
【特許文献１】特開平１１−５４０３２号公報
【発明の開示】
【発明が解決しようとする課題】
【０００６】
前記グリッド２００は支持用タブ２２０の爪２３７を有するので、該支持用タブの爪２３６の分だけ隣接グリッドの距離が必要となり、支持用タブの爪２３７を固着グリッド電極固定材によりの面積を大きくする必要がある。そのために、アノード電極間の有効領域が狭くなっていた。
本発明は、隣接するグリッド相互の間隔を小さくして高密度な陽極の配置にも適応できる表示範囲を拡大した信頼性の高い蛍光表示管を提供することを目的としている。
【課題を解決するための手段】
【０００７】
本願発明は上記課題を解決する為になされたものであり請求項１の発明は、内部が高真空状態に保持された外囲器１００と、該外囲器１００の一部を構成する絶縁性基板１１０に蛍光体１６０が積層されたアノード１５０と、メッシュ状電極部２１０の外側に突出して一体に形成された支持用タブ２２０を有し、該支持用タブ２２０を脚部２３０として前記絶縁性基板１１０に固着されたグリッド２００を有する蛍光表示管において、前記支持用タブ２２０は、前記メッシュ状電極部２１０を基端としてメッシュ状電極部２１０の外側に突出した２以上の爪２３５と、該２以上の爪２３５を連結する連結部２３１を有し、  前記グリッド２００は、前記メッシュ状電極部２１０を長辺とし前記支持用タブ２２０の一部を短辺として、該短辺を脚部２３０とし、該脚部２３０の先端が前記絶縁性基板１１０に当接して配設されるとともに、前記支持用タブ２２０の連結部２３１が前記絶縁性基板１１０に配設されたグリッド電極固着材２４０に被覆されて前記グリッド２００が前記絶縁性基板１１０に固着されることを特徴とする。
前記支持用タブの先端部の連結部２３１が、絶縁性基板と略並行に配設されてグリッド電極固定材２４０を介して絶縁性基板に確実に固着され、従来の成型されて絶縁性基板に当接して設けられた支持用タブ２２０の絶縁性基板との固着用爪部２３７が不要となりアノード電極の面積を拡大できる。
【０００８】
請求項２の発明は、内部が高真空状態に保持された外囲器１００と、該外囲器１００の一部を構成する絶縁性基板１１０に蛍光体１６０が積層されたアノード１５０と、メッシュ状電極部２１０の外側に突出して一体に形成された支持用タブ２２０と該メッシュ状電極部２１０領域内に一体に形成された支持用タブ２２０とを有し、該支持用タブ２２０を脚部２３０として前記絶縁性基板１１０に固着されたグリッド２００を有する蛍光表示管において、前記支持用タブは、前記メッシュ状電極部を基端としてメッシュ状電極部の外側に突出した２以上の爪と、該２以上の爪を連結する連結部を有し、前記支持用タブ２２０は、前記メッシュ状電極部２１０を基端としてメッシュ状電極部２１０の外側に突出した２以上の爪２３５と、該２以上の爪２３５を連結する連結部２３１を有し、  前記グリッド２００は、前記メッシュ状電極部２１０を長辺とし前記支持用タブ２２０の一部を短辺として、該短辺を脚部２３０とし、該脚部２３０の先端が前記絶縁性基板１１０に当接して配設されるとともに、前記支持用タブ２２０の連結部２３１が前記絶縁性基板１１０に配設されたグリッド電極固着材２４０に被覆されて前記グリッド２００が前記絶縁性基板１１０に固着されることを特徴とする。
前記メッシュ状の電極部２１０の領域内に一体に形成した支持用タブ２２０の先端部の連結部２３１が、絶縁性基板１１０と略並行に配設されてグリッド電極固定材２４０を介して絶縁性基板に確実に固着され、従来の支持用タブの絶縁性基板との固着用爪部２３７が不要となりアノード電極の面積を拡大できる。
【０００９】
請求項３の発明は、請求項１又は請求項２に記載の蛍光表示管において、前記グリッド２００と前期絶縁性基板１００の断面形状が前記メッシュ状グリッド面２１０を上辺とし前記絶縁性基板１１０を底辺とする台形形状であり、前記メッシュ状電極２１０と前記脚部２３０のなす角度が９０度乃至１００度であることを特徴とする。
前記支持用のタブ２２０は前記メッシュ状グリッド面に対して９０度乃至１００度にすることで、アノード電極の面積を拡大できる。
請求項４の発明は、前記支持用タブ２２０の連結部の外側に突起２３４を有することを特徴とする。
タブの先端部断面が前記陽極基板面に対抗して略平行になるようにしてグリッド支持用タブ２２０をグリッド電極固着材２４０に挿入しやすくすると供に、外側に突起を有することにより更にグリッド支持用タブ２２０をグリッド電極固着材２４０に挿入しやすくすることが出来る。
更に、前記タブの先端の連結部２３１とメッシュ状電極部２１０の間に中間連結部２３３を有する形状にすることでタブの強度を強めてより信頼性のある蛍光表示管が得られる。
【発明の効果】
【００１０】
本発明により、前記支持用タブの先端に設けられた爪部２３４（図５）を無くすると共にメッシュ状電極部２１０面に対する支持用タブ２２０の成型角度を小さくすることで、隣接するグリッド相互の間隔を小さくできるために高密度な陽極の配置にも適応できる蛍光表示管を提供出来た。
【発明を実施するための最良の形態】
【００１１】
（実施例１）フィラメントからの低速電子線の励起により発光する蛍光体側から発光を観察する蛍光表示管の例。
本願発明の蛍光表示管は図１に示す様に絶縁性基板１１０であるガラス板からなる絶縁性基板上面にアルミ薄膜からなる配線１２０をフォトリ法によりパターン形成する。該配線の所望の部分にスルーホール１４０を設けた絶縁被覆１３０をスクリーン印刷法により積層する。該絶縁被覆１３０の上面には前記スルーホールを覆うように黒鉛を主体としたアノード電極をスクリーン印刷法により形成する。該アノード電極上面にフィラメント３１０からの低速電子線を受けて発光する蛍光体１６０をスクリーン印刷法により積層してアノード電極が完成する。前記蛍光体１６０の上方には本願発明のグリッド２００が配置され、さらにその上方には電子源となるフィラメント３１０が配置されている。
【００１２】
前記グリッド２００は図３に示す様にメッシュ状電極部２１０の周囲に支持用タブ２２０を複数個一体に形成した金属部品である。本実施の形態に於いては、前記支持用タブ２２０は３つの爪２３５を脚部２３０として先端部に連結部２３１を設けている。更に該連結部２３１とメッシュ状電極部２１０の間に中間連結部２３３を設けて、脚部２３０としての支持用タブ２２０の変形を防止して強度を増している。
該支持用タブ２２０は、前記グリッド２００のメッシュ状電極部２１０を長辺として前記支持用タブ２２０の一部を短辺となるように成型して断面形状をＬ字形状にして前記短辺を脚部２３０とする。
前記グリッド２００は、メッシュ状電極部２１０面を前記アノード電極１５０と略平行になるようして、前記支持用タブ２２０の先端の断面２３２を前記絶縁性基板１１０に当接するようにして配置し、前記成型した支持用タブ２２０の先端部に形成された連結部２３１を前記絶縁性基板に配設されたグリッド電極固定材２４０で被覆して前記絶縁性基板１１０に固着する。
前記支持用タブの先端部の連結部２３１が、絶縁性基板１１０と略並行に配設されてグリッド電極固定材２４０を介して絶縁性基板１１０に確実に固着され、従来の支持用タブの絶縁性基板との固着用爪部２３５が不要となりアノード電極の面積を拡大できる。
【００１３】
前記支持用タブ２２０は先端に連結部２３１を設けた構成とした。該連結部２３１は、支持用タブの断面２３２を陽極基板に当接するようにして配設する。グリッド材は０．０５乃至０．１ｍｍの厚みの金属薄板を加工したものである事から、（図５に示す）従来の支持用タブ２２０としての先端の爪部２３７と比べて予め陽極基板に配設したグリッド電極固着材に対して容易にめり込ませる事が出来る。従来の支持用タブの爪部２３７を設けた支持用タブ２２０のグリッド電極固着材による固着と比較して、本願発明の支持用タブ２２０先端の連結部２３１はグリッド電極固定材２４０を介して確実に固着できる。
【００１４】
更に、前記支持用タブ２２０は先端に連結部２３１を設けた構成としたことで、前記陽極基板に配設されたグリッド電極固定材２４０に前記支持用タブの先端の連結部が覆われてグリッド電極固定材２４０を介して確実に固着できる。
前記支持用タブ２２０の形状は図４に示す様に突起部２３４を設けることで、予め陽極基板に配設したグリッド電極固着材２４０に対してめり込ませる事をより一層容易にすることが出来る。
【００１５】
前記支持用タブ２２０の形状は図３に示す様に突起部２３４を設け、支持用タブの先端連結部とグリッドメッシュの間に中間連結部２３３を設けて支持用タブ２２０の変形を防止出来る。
本実施の形態に於いては、前記支持用タブ２２０は３つの爪２３１を脚部として先端部に連結部２３４を設けている。更に該先端の連結部２３１とメッシュ状電極部２１０の間に中間連結部２３４を設けて、脚部２３０としての支持用タブ２２０の変形を防止して強度を増している。
図４に示す指示用タブの形状は一部の例であるが、中間連結部２３３を含む支持用タブ２２０は様々な形状を有するが、グリッド２００を構成するメッシュ状グリッド電極２１０の外側の成型部２３７絶縁性基板方向に成型されて脚部を構成し、該脚部の外側に設けた少なくとも二個の爪２３５と、該爪部２３５を互いに連結する先端の連結部２３４を有し該先端の連結部２３４が固着材２４０に被覆されて確実に固着される。
【００１６】
前記支持用のタブ２２０は前記メッシュ状グリッド面２１０に対して９０度乃至１００度に折り曲げることで蛍光表示管の表示面積を従来の蛍光表示管と比較して、表示面積を拡大した蛍光表示管を提供できる。
即ち、図１に示す様に、前記グリッド２００と前期絶縁性基板１００の断面形状が前記メッシュ状グリッド面２１０を上辺とし前記絶縁性基板１１０を底辺とする台形形状であり、前記メッシュ状電極２１０と前記脚部２３０のなす角度が９０度乃至１００度となる構成である。
図１に示す様に前記グリッド２００のメッシュ状電極部の領域内に指示用タブ２２０を有するときは、図１の右外側指示用タブと前期絶縁性基板１００の断面形状が前記メッシュ状グリッド面２１０を上辺とし前記絶縁性基板１１０を底辺とする台形形状であり、前記メッシュ状電極２１０と前記脚部２３０のなす角度が９０度乃至１００度となる構成である。
本願発明の構成により、前記支持用のタブ２２０は前記メッシュ状グリッド面に対して９０度乃至１００度にすることで、アノード電極の面積を拡大できる。
具体的には、本願発明による支持用タブを使用した蛍光表示管の表示面積の拡大は、メッシュ電極と陽極の距離は０．５ｍｍ〜１．０ｍｍ確保し、メッシュ電極と支持用タブは従来１２０度乃至１３０度であったところ９０度乃至１００度で成型出来る様にしたこと事。
更に前記爪部を省略することによりグリッド電極固着材の面積を狭くすることを可能にした事。
以上から、支持用タブの成型方向に対して、リード側、及びリードの反対側である絶縁性基板の外側方向に各々０．７ｍｍ表示面積を拡大した蛍光表示管を提供できる。（図１、図７）
複数のグリッドを対向して配設するときは、従来３ｍｍの距離が必要であったところ、２．１ｍｍの間隔まで狭くする事ができ、これにより表示面積を更に拡大した蛍光表示管を提供できる。
前記隣接グリッドの距離２．１ｍｍは、中間に支持用タブを使用しない通常のダイナミック駆動蛍光表示管の隣接グリッド間距離と同じである。
【００１７】
（実施例２）フィラメントからの低速電子線の励起により発光する蛍光体を積層した絶縁性基板側から発光を観察する蛍光表示管の例。
本願発明の蛍光表示管は図２に示す様に絶縁性基板１１０であるガラス板からなる絶縁性基板上面にアルミ薄膜からなる配線１２０をフォトリ法によりパターン形成、同時に前記アルミニウム薄膜をフォトリ法により幅１０〜５０μｍのアルミニウムのハッチングパターンによるアノード１５０形成する。該配線の所望の部分に陽極１５０を開口とした絶縁被覆１３０をスクリーン印刷法により積層する。該アノード上面にフィラメント３１０からの低速電子線を受けて発光する蛍光体１６０をスクリーン印刷法により積層してアノード電極が完成する。前記蛍光体１６０の上方には本願発明のグリッド２００が配置され、さらにその上方には電子源となるフィラメント３１０が配置されている。
前記陽極基板以外は実施例１と同様に蛍光表示管を作製した。
【産業上の利用可能性】
【００１８】
高い表示密度で配設された発光パターンを互いに独立して駆動することを可能な、陽極の駆動を制御するために陽極に対応して設けられるグリッドの配置間隔も小さくした高い表示密度が可能な蛍光表示管を提供することができた。
これにより、市場からの要求である表示素子に対しての高い表示性能が可能となった。
【図面の簡単な説明】
【００１９】
【図１】本願発明の蛍光表示管
【図２】本願発明の蛍光表示管
【図３】本願発明のグリッド支持用タブとグリッド電極固定材とガラス基板の固着部示す図
【図４】本願発明のグリッド支持用タブの一例を示す図
【図５】従来のグリッド支持用タブの一例を示す図
【図６】従来のグリッドの一例を示す図
【図７】従来のグリッドの一例を示す図
【図８】従来の蛍光表示管を示す図
【符号の説明】
【００２０】
１００・・・気密容器
１１０・・・絶縁性基板
１１１・・・絶縁性基板面
１２０・・・配線
１３０・・・絶縁被膜
１４０・・・スルーホール
１５０・・・アノード
１６０・・・蛍光体
２００・・・グリッド
２１０・・・メッシュ状電極部
２２０・・・支持用タブ
２３０・・・支持用タブの脚部
２３１・・・支持用タブの先端部連結部
２３２・・・支持用タブの先端部断面
２３３・・・支持用タブの中間連結部
２３４・・・支持用タブの先端部連結部の突起
２３５・・・支持用タブの爪
２３６・・・成型部
２３７・・・支持用タブの爪
２３８・・・支持用タブの爪の基板当接面
２４０・・・グリッド電極固定材
３１０・・・フィラメント
４１０・・・リード
５１０・・・箱型容器
５２０・・・フリットガラス
【図１】
2006024405.tif 000003
【図２】
2006024405.tif 000004
【図３】
2006024405.tif 000005
【図４】
2006024405.tif 000006
【図５】
2006024405.tif 000007
【図６】
2006024405.tif 000008
【図７】
2006024405.tif 000009
【図８】
2006024405.tif 000010